(57)【要約】【課題】従来の検出装置の構成では、人と物の区別をつけることは困難であり、また、玄関ドア前のポーチの上などに設置する場合、侵入者などに検知手段があることを察知されてしまうという課題があった【解決手段】玄関ドア１４前ポーチ１５に、防塵防水のためのフィルム９ａ、９ｂを配した振動検出装置１３を設置し、ポーチ１５上面に加わる振動を検出する構成としたものである。これによって、振動を検出するため、動きのあるものと無い物を判別できる。従って、動きのある人と動きの無い物を区別することができる。  また振動検出装置１３をポーチ１５に埋設する構成としたので、振動検出装置自体を周囲から見えなくすることが秘匿性の高い物となる。【選択図】図３
2007058834.tif 000002
【特許請求の範囲】
【請求項１】
家屋周囲外側に、防塵防水手段を配した振動検出手段を設置し、前記振動検出手段の設置部上面に加わる振動を検出する振動検出装置。
【請求項２】
振動検出手段の設置部上面に可動体を有し、前記可動体により前記振動検出手段に振動を伝える請求項１記載の振動検出装置。
【請求項３】
振動検出手段の設置部上面に蓋体を有し、前記蓋体が撓むことで前記振動検出手段に振動を伝える請求項１記載の振動検出装置。
【請求項４】
振動検出手段は、家屋出入り口屋外側に埋設した請求項１から３のいずれか１項記載の振動検出装置。
【請求項５】
振動検出手段の出力信号を受ける判定手段と、前記判定手段の出力を受け判定結果を出力する報知手段と、判定手段と報知手段を収納する筐体を備え、前記振動検出手段と共に前記筐体も家屋出入り口屋外側に埋設する請求項１から４のいずれか１項記載の振動検出装置。
【請求項６】
振動検出手段の設置部上面に加わる振動を前記振動検出手段に伝達する振動伝達促進部材を有する請求項１から５のいずれか１項記載の振動検出装置。
【請求項７】
振動伝達促進部材は、振動検出手段に重なりかつ前記振動検出手段と交差する複数の棒状部材と、前記棒状部材と共に前記振動検出手段をはさむよう配置した弾性部材により構成した請求項６記載の振動検出装置。
【請求項８】
振動伝達促進部材は、振動検出手段に重なりかつ前記振動検出手段と交差する複数の棒状部材と、前記振動検出手段をはさむように第２の複数の棒状部材を有し、複数の棒状部材と前記第２の複数の棒状部材は重ならないように配置した請求項６記載の振動検出装置。
【請求項９】
防塵防水手段は、単一もしくは複数のフィルム状部材よりなり、少なくとも振動検出手段を前記フィルム状部材の内部に封入した請求項１から８のいずれか１項記載の振動検出装置。
【請求項１０】
防塵防水手段として、少なくとも振動検出手段に柔軟な部材を塗布した請求項１から８記載のいずれか１項記載の振動検出装置。
【請求項１１】
防水防塵手段としての単一もしくは複数のフィルム状部材、柔軟な部材は導電性を有する請求項９または１０記載の振動検出装置。
【請求項１２】
振動検出手段の出力に基づいて人と物を判別する請求項１から１１記載のいずれか１項記載の振動検出装置。
【請求項１３】
可動体と検出手段設置部との間に第２の防塵防水手段を配設して振動検出手段に粉塵や水が掛からないようにする請求項１から１２のいずれか１項記載の振動検出装置。
【請求項１４】
振動検出手段は圧電センサである請求項１から１３のいずれか１項記載の振動検出装置。
【請求項１５】
振動検出手段は、内側電極と、前記内側電極に周設された感圧部材と、前記感圧部材に周設した外側電極とを備えてケーブル状に構成した請求項１から１４のいずれか１項記載の
振動検出装置。
【請求項１６】
可動体を複数に分割し、前記複数の可動体が独立して可動することで振動検出手段に振動を伝える構成とした請求項２記載の振動検出装置。
【請求項１７】
振動伝達促進部材は可動体の下面に配置した押圧部材である請求項６記載の振動検出装置。
【請求項１８】
請求項１から１７のいずれか1項記載の振動検出装置の出力結果を受け不審者を判別する判別手段を有し、前記判別手段が不審者であると判定した場合、機器を動作させるセキュリティ装置。
【請求項１９】
機器は、不審者を撮影するカメラである請求項１８記載のセキュリティ装置。
【請求項２０】
機器は、不審者を照らす照明機器である請求項１８記載のセキュリティ装置。
【請求項２１】
機器は、不審者に聞こえるように設置された音響スピーカである請求項１８記載のセキュリティ装置。
【請求項２２】
判別手段は、入室を許可された者が持つＩＤ送受信機と無線通信してＩＤを照合することにより不審者を判別する請求項１８から２１のいずれか１項記載のセキュリティ装置。
【請求項２３】
請求項１６〜２２に記載の振動検出装置またはセキュリティ装置を備え、家屋出入り口外側に配置する複数の板材からなるデッキと、前記デッキを下面で支持する大引を有して、可動体は前記複数の板材からなるデッキとし、振動伝達部材を大引とした家屋出入り口用部材。
【請求項２４】
振動検出装置と大引の間に弾性部材を配置した請求項２３記載の振動検出装置またはセキュリティ装置を備えた家屋出入り口用部材。
【請求項２５】
振動検出装置と大引の間に硬質部材を配置し、前記硬質部材は前記大引の幅より大きくすることで前記振動検出装置の受圧面を増やす構成とした請求項２３記載の振動検出装置またはセキュリティ装置を備えた家屋出入り口用部材。
【請求項２６】
振動伝達手段として、デッキ下面の大引の配置されていない部分に押圧部材を前記デッキに結合配置される請求項２３記載の振動検出装置またはセキュリティ装置を備えた家屋出入り口用部材。
【請求項２７】
振動検出装置の周囲のいずれかの位置に弾性部材を配置した請求項２４〜２６に記載の家屋出入り口用部材。
【発明の詳細な説明】
【技術分野】
【０００１】
本発明は、家屋周囲外側、例えば出入り口外側に設置し、居住者や来客または侵入者などを検出する振動検出装置に関するものである。
【背景技術】
【０００２】
従来、この種の検出装置は、家屋出入り繰り外側、例えば玄関などのドア前に設置し来客や侵入者などの検知をするもので、例えば、マット状の荷重検知手段（例えば、特許文献１参照）などがある。
【０００３】
図２８は特許文献１に記載された従来の検出装置の構成図である。上下２枚のウレタンのような柔軟な板材１ａ，１ｂが内部に空間を作るように対向して配置されマット２を形成し、その内部空間３に第１の電極４と第２の電極５が微小間隔を保って配置されている。そのマット２の上に人や物などが乗り、荷重がかかることによって上のウレタン板１ａが撓み、第２の電極５を押さえつけることで第１の電極４と第２の電極５が接触通電し人を検出する物である。
【特許文献１】実用新案登録第３０６３４１５号公報
【発明の開示】
【発明が解決しようとする課題】
【０００４】
しかしながら、前記従来の構成では、マット２内に電極を設けた構成ではマット２の上にかかる荷重の有無しか検知できないため、人と物の区別をつけることは困難であるという課題がある。また、マット状の検知手段では、玄関ドア前のポーチの上などに設置する場合、玄関周りのデザインの統一性を欠いてしまうことも考えられる。さらに侵入者などには検知手段があることを察知されてしまう可能性もある。
【０００５】
本発明は、前記従来の課題を解決するもので、家屋周囲外側、例えば玄関前の人を確実に検知し、秘匿性の高い振動検出装置を提供することを目的とする。
【課題を解決するための手段】
【０００６】
前記従来の課題を解決するため、本発明の振動検出装置は、家屋周囲外側に、防塵防水手段を配した振動検出手段を設置し、前記振動検出手段の設置部上面に加わる振動を検出する構成としたものである。
【０００７】
これによって、家屋周囲例えば玄関前における振動を検出するので、動きのあるものと無い物を判別できる。従って、動きのある人と動きの無い物を区別することができる。また、振動検出手段に防塵防水手段を配したので風雨にさらされる家屋周囲外側に設置しても信頼性の高い検出をする振動検出装置を提供することができる。
【０００８】
また本発明の振動検出装置は、家屋出入り口屋外側に埋設する構成とした。
【０００９】
これによって、振動検出装置は、家屋周囲の構造物例えば玄関ポーチの内部に埋設されるため、振動検出装置自体を周囲から見えなくすることができ秘匿性の高い物とすることができる。
【発明の効果】
【００１０】
家屋周囲外側、例えば玄関前の人を確実に検知し、秘匿性の高い振動検出装置を提供す
ることができる。
【発明を実施するための最良の形態】
【００１１】
第１の発明は、家屋周囲外側に、防塵防水手段を配した振動検出手段を設置し、前記振動検出手段の設置部上面に加わる振動を検出する構成とすることで、振動を検出するので、動きのあるものと無い物を判別できる。従って、動きのある人と動きの無い物を区別することができる振動検出装置を提供することができる。また、振動検出手段に防塵防水手段を配したので風雨にさらされる家屋周囲外側に設置しても信頼性の高い検出をする振動検出装置を提供することができる。
【００１２】
第２の発明は、特に第１の発明において振動検出手段の設置部上面に可動体を有し前記可動体により前記振動検出手段に振動を伝える構成とすることで、振動検出装手段を周囲から見えなくすることができ秘匿性の高い物とすることができる。
【００１３】
第３の発明は、特に第１の発明において振動検出手段の設置部上面に蓋体を有し前記蓋体が撓むことで前記振動検出手段に振動を伝える構成とすることで、設置部上面と蓋体の境界に段差を生じにくいので、人や物が引っかかることもなく、より自然な設置状態を実現できる。
【００１４】
第４の発明は、特に第１から第３の発明のいずれか１つに記載の発明において家屋出入り口屋外側に埋設する構成とすることで、居住者や来客を検出することができる振動検出装置を提供することができる。
【００１５】
第５の発明は、特に第１から第４の発明のいずれか１つに記載の発明において振動検出手段の出力信号を受ける判定手段と、前記判定手段の出力を受け判定結果を出力する報知手段と、判定手段と報知手段を収納する筐体を備え、前記振動検出手段と共に前記筐体も家屋出入り口屋外側に埋設する構成とすることで、振動検出手段からの出力を信号処理する判定手段と報知手段を振動検出手段の近傍に設置するためノイズの影響を受けにくく誤動作しにくい信頼性の高い物となる。
【００１６】
第６の発明は、特に第１から第５の発明のいずれか１つに記載の発明において振動検出手段は圧電センサとすることで、振動を圧電センサの変形の加速度に応じた信号として検出するため、振動の大きさや、継続する振動を検出することができ、動きのある人と動きの無い物との判別をすることができる。
【００１７】
第７の発明は、特に第１から第６の発明のいずれか１つに記載の発明において振動検出手段の設置部上面に加わる振動を前記振動検出手段に伝達する振動伝達促進部材を有する構成とすることで、圧電センサに荷重や振動が加わったときに圧電センサに大きな変形を促すことができるので振動の検出性能が向上する。
【００１８】
第８の発明は、特に第７の発明において、振動伝達促進部材は、振動検出手段に重なりかつ前記振動検出手段と交差する複数の棒状部材と、前記棒状部材と共に前記振動検出手段をはさむよう配置した弾性部材により構成したものであるので、振動検出手段に荷重や振動が加わったときに棒状部材の断面形状に沿って曲げ作用が加わり大きな信号出力が発生するため、高感度に振動を検出することができ、振動の検出性能が向上する。
第９の発明は、特に第７の発明において、振動伝達促進部材は、振動検出手段に重なりかつ前記振動検出手段と交差する複数の棒状部材と、前記振動検出手段をはさむように第２の複数の棒状部材を有し、複数の棒状部材と前記第２の複数の棒状部材は重ならないように配置したものであるので、振動検出手段に荷重や振動が加わったときに棒状部材の断面形状に沿って曲げ作用が加わり大きな信号出力が発生するため、高感度に振動信号を検出
することができ、振動の検出性能が向上する。
【００１９】
第１０の発明は、特に第１から第９の発明のいずれか１つに記載の発明において防塵防水手段は単一もしくは複数のフィルム状部材よりなり、少なくとも振動検出手段を前記フィルム状部材の内部に封入する構成とすることで、風雨にさらされる家屋周囲外側に設置しても信頼性の高い検出をする振動検出装置を提供することができる。
【００２０】
第１１の発明は、特に第１から第９の発明のいずれか１つに記載の発明において防塵防水手段として、少なくとも振動検出手段に柔軟な部材を塗布する構成とすることで、風雨にさらされる家屋周囲外側に設置しても信頼性の高い検出をする振動検出装置を提供することができる。
【００２１】
第１２の発明は、特に第１から第１１の発明のいずれか１つに記載の発明において防水防塵手段としての単一もしくは複数のフィルム状部材、柔軟な部材は導電性を有する構成とすることで、検出した振動信号を伝達する振動検出手段に対しフィルム状部材または柔軟な部材がシールドの役を果たし外来電磁波ノイズの影響を受けにくい物となる。よって、振動信号の収集や処理のために近くで電子機器を用いたり、携帯電話などの通信機器等を近くで使用してもノイズが重畳することの少ない信頼性の高い振動検出装置を提供することができる。
【００２２】
第１３の発明は、特に第１から第１２の発明のいずれか１つに記載の発明において振動検出手段の出力に基づいて人と物を判別する構成とすることで、振動を検出することで動きのある人と動きの無い物を確実に判別することができるため、家屋周囲に物がおいてあり、人がいない場合でも、間違えて家屋出入り口を開錠したり、居住者や来客または不審者がきたと誤報したりすることの無い信頼性の高い振動検出装置を提供することができる。
第１４の発明は、特に第１から第１３の発明のいずれか１つに記載の発明において可動体と検出手段設置部との間に第２の防塵防水手段を配設して振動検出手段に粉塵や水が掛からないようにする構成とすることで、また、風雨にさらされる家屋周囲外側に設置しても、振動検出手段に施された防塵防水手段とあわせて２重の防塵防水手段となりより高い信頼性をもつ振動検出装置を提供することができる。
【００２３】
第１５の発明は、特に第１から第１４の発明のいずれか１つに記載の発明において振動検出手段は、内側電極と、前記内側電極に周設された感圧部材と、前記感圧部材に周設した外側電極とを備えてケーブル状に構成することで、検出した振動信号を伝達する中心電極に対し外部電極がシールドの役を果たし外来電磁波ノイズの影響を受けにくい物となる。よって、振動信号の収集や処理のために近くで電子機器を用いたり、携帯電話などの通信機器等を近くで使用してもノイズが重畳することの少ない信頼性の高い振動検出装置を提供することができる。
【００２４】
第１６の発明は、特に第２の発明において、可動体を複数に分割し、前記複数の可動体が独立して可動することで振動検出手段に振動を伝える構成としたことで、可動体それぞれの質量を小さくすることが出来、より小さな力で可動体が動くこととなり、より小さな振動を検出することが出来るので検出感度を高くすることが出来る。また、可動体の質量が小さいので持ち上げが容易になるため、作業性の高い振動検出装置を提供することが出来る。
【００２５】
第１７の発明は、特に第６の発明において、振動伝達促進部材は可動体の下面に配置した押圧部材で構成したことで、可動体に印加される荷重と振動は、押圧部材に集中して振動検出装置に伝達されるため、押圧部材が振動伝達促進部材となり、より簡略な構成の振
動検出装置を提供することが出来る。
【００２６】
第１８の発明は、特に第１から第１７の発明のいずれか１つに記載の発明において、請求項１から１７のいずれか1項記載の振動検出装置の出力結果を受け不審者を判別する判別手段を有し、前記判別手段が不審者であると判定した場合、機器を動作させるセキュリティ装置としたことで、振動検出装置により不審者を確実に判別し、それに自動的に対応できるセキュリティ装置を提供することが出来る。
【００２７】
第１９の発明は、特に第１８の発明において、機器は、不審者を撮影するカメラであるので、振動検出装置により不審者を検出し、検出した不審者を撮影し記録を残すことが出来るセキュリティ装置を提供することができる。
【００２８】
第２０の発明は、特に第１８の発明において、機器は、不審者を照らす照明機器であるので、カメラにより検出した不審者を撮影する場合の照明として、不審者の画像情報を明確に記録することが出来る。
第２１の発明は、特に１８の発明において、機器は、不審者に聞こえるように設置された音響スピーカであるので、効果的に検出した不審者を威嚇することが出来る。
【００２９】
第２２の発明は、特に第１８から２１の発明のいずれか１つに記載の発明において、判別手段は、入室を許可された者が持つＩＤ送受信機と無線通信してＩＤを照合することにより不審者を判別する構成としたので、入室を許可されたＩＤ送受信機を持つ者と、ＩＤ送受信機を持たない不審者を確実に判別することが出来る。
【００３０】
第２３の発明は、特に第１６から２２の発明のいずれか１つに記載の発明において、請求項１６から２２に記載の振動検出装置またはセキュリティ装置を備え、家屋出入り口外側に配置する複数の板材からなるデッキと、前記デッキを下面で支持する大引を有して、可動体は前記複数の板材からなるデッキとし、振動伝達部材を大引としたので、家屋に一般に使用されている建材を活用するため振動検出装置の構造の簡略化することが出来る。第２４の発明は、特に第２３の発明において、振動検出装置と大引の間に弾性部材を配置したので、角断面の大引の角部による振動検出装置の傷つきなどを防ぐことで信頼性の高い振動検出装置を提供することが出来る。
【００３１】
第２５の発明は、特に第２３の発明において、振動検出装置と大引の間に硬質部材を配置し、前記硬質部材は前記大引の幅より大きくすることで前記振動検出装置の受圧面を増やす構成としたことで受圧面を広くし圧力を分散させることで信頼性の高い振動検出装置を提供することが出来る。
第２６の発明は、特に第２３の発明において、振動伝達手段として、デッキ下面の大引の配置されていない部分に押圧部材を前記デッキに結合配置される構成としたので、検知したい部分に大引のない場合や、振動検出装置上の大引の数が少ない場合に配置ことで大引と同様の作用を得ることができ、また圧力を分散させることで信頼性の高い振動検出装置を提供することが出来、また、押圧部材は前記デッキに結合されているため前記デッキと一体に取り扱うことが出来、作業性が向上する。
【００３２】
第２７の発明は、特に第２４から第２６の発明のいずれか１月に記載の発明において、振動検出装置の周囲のいずれかの位置に弾性部材を配置したので、玄関のコンクリート面やモルタル面の微小突起などによる振動検出装置の傷つきを防止し信頼性を向上させることが出来る。
【００３３】
以下、本発明の実施の形態について、図面を参照しながら説明する。なお、この実施の形態によって本発明が限定されるものではない。
【００３４】
（実施の形態１）
図１は本発明第１の実施の形態における振動検出装置の側面断面図、図２は振動検出装置を設置した玄関ポーチの平面断面図、図３は振動検出装置を設置した玄関の構成図、図４は振動検出装置を設置した玄関ポーチの断面図で、図５は振動検出手段の断面図、図６は検出装置のブロック図である。
【００３５】
図１において、スポンジ６のような弾性部材の表面に、振動検出手段として可撓性を有したケーブル状圧電センサ７が着設され、さらにその上に重なり圧電センサ７と複数の点で交差するように複数の硬質の棒状部材としてアルミ丸棒８がほぼ等間隔で互いに並行に着設されている。これらスポンジ６と圧電センサ７とアルミ丸棒８とを覆うように水透過性の無い２枚の樹脂フィルム９ａ、９ｂによって上下から挟み込んで粉塵や水の浸入が無いよう周囲４辺を熱溶着することで封入し、防塵防水手段としている。そのため、風雨にさらされる家屋周囲などの屋外に設置したときでも信頼性の高い検出をすることができる。尚、圧電センサ７だけを樹脂フィルム９ａ、９ｂで封入しそれをスポンジ６と複数のアルミ丸棒８ではさむよう樹脂フィルム９ａ、９ｂの表面に接着しても良い。スポンジ６やアルミ丸棒８は、圧電センサ７と電気的に接続されていないため若干の粉塵や水等の付着があったとしても動作に対する影響は少ない。だたし、粉塵や水等の付着は無いほうが好ましい。
【００３６】
また、図２にあるように圧電センサ７は蛇行して着設され、アルミ丸棒８は蛇行している圧電センサ７の直線部分とほぼ直交するように配置させることで１本のアルミ丸棒８は複数の点により圧電センサ７と交差している。また、圧電センサ７の一端には圧電センサ７からの出力信号を処理する制御ユニット１１が接続されている。制御ユニットは判定手段や報知手段などにより構成され、圧電センサ７とは同軸ケーブル１２などにより電気的に接続されており、この判定手段と報知手段は防塵防水性のある筐体に収納され振動検出装置１３の近傍に配置される。圧電センサ７からの出力を信号処理する判定手段と報知手段を振動検出手段の近傍に設置することにより外来ノイズの影響を受けにくい信頼性の高い物とすることができる。
【００３７】
以上のように構成された振動検出装置１３について、以下その動作、作用を図３〜図４に基づいて説明する。
【００３８】
振動検出装置１３は図３及び図４に示すように、家屋周囲外部、ここでは出入り口である玄関ドア１４前のポーチ１５に埋設され、報知手段により出力される検知結果は家屋内部の表示手段１６などに表示される。尚、家屋内部に設置されている他機器と連動させても良い。
【００３９】
またポーチ１５は、上面の一部、特に人１７が立つ部分に上下方向に可動する可動体１８を有しており、振動検出装置１３はその下に配置され可動体１８に加えられる振動が振動検出装置１３に印加されるようになっている。ポーチ１５の本体１９と可動体１８の隙間には内部に粉塵や水が侵入し振動検出装置１３に粉塵や水が掛からないようにＯリング２０が配置されている。これにより、圧電センサ７の防塵防水手段と合わせて２重の防塵部防水手段を施すこと隣より信頼性の高い物とすることができる。
【００４０】
図３から図４のように玄関ドア１４の前に住人や訪問者または侵入者などの人１７が立つとき、人１７はポーチ１５上面の可動体１８の上に載ることになる。このとき、人１７の荷重や振動は可動体１８を介して伝わり振動検出装置１３に達する、そのとき振動伝達促進手段としてのスポンジ６とアルミ棒８は以下のような作用を生じる。荷重や振動によりスポンジ６は歪みを生じるが、アルミ丸棒８は人１７の体重程度では歪まないため、荷
重や振動により窪み変形を起こすスポンジ６に圧電センサ７はアルミ丸棒８と共にスポンジ６に陥入する形となる。そして圧電センサ７はアルミ丸棒８の断面形状に沿って曲げ作用が加わり大きな信号出力が発生する。実験において、直径約２．５mmの圧電センサを用い、アルミ製の直径６ｍｍの丸棒を５０〜１００ｍｍ間隔で複数配置することで、良好な結果を得ることができた。
【００４１】
尚、可動体１８の圧電センサ７側に凹凸を設けられている場合などはアルミ丸棒８を設置しなくても同様の効果が得られる。
【００４２】
尚、圧電センサ７が可撓性を持っており、なおかつアルミ丸棒８が複数に分離しているためアルミ丸棒８と直行する方向に振動検出装置１３を曲げたり丸めたりすることができるので、搬入や設置が容易になるという効果もある。
【００４３】
このときスポンジ６の硬さは、人１７がポーチ１５の可動体１８に載ったときにその変移により違和感の無い程度、数ｍｍ好ましくは２ｍｍ程度の変位になるような硬さが好ましい。
【００４４】
また尚この構成において、振動検出装置１３は上下逆に配置してもよい。
【００４５】
また、硬質の棒状部材としてはアルミ丸棒８を用いたが、人１７の重量や振動により圧縮変形しない硬度を持つ他の金属や、樹脂の棒などでも同様の効果が期待できる。また、形状も丸断面に限られる物ではなく長円形状、楕円形状、多角形でも良い、ただ多角形の場合は圧電センサ７を傷つけないよう角部分が面取り等されていることが望ましい。また、アルミ丸棒７の直径や配置間隔もこの例は１例であり発明の効果がこれに限定されるものではない。
以下に本発明の振動検出装置１３に用いる圧電センサ７について説明する。
【００４６】
図５において、圧電センサ７は内側電極として導体からなる中心電極７０１、感圧部材である圧電体層７０２、導体からなる外側電極７０３、弾性体からなる被覆層７０４を備えている。圧電体層７０２はポリフッ化ビニリデン等の樹脂系の高分子圧電体や、特定の樹脂基材中に圧電セラミックスの粉体を混合した複合圧電体を用いることができる。そして外側電極７０３は内側電極７０１と圧電体層７０２を囲うように配置されており、圧電センサ７は同軸ケーブル状となるため信号を伝達する中心電極７０１に対し外部電極７０３がシールドの役を果たし外来電磁波ノイズの影響を受けにくい物となる。よって、振動信号の収集や処理するために電子機器を近くで使用したり、携帯電話などの通信機器等を近くで使用したりしても圧電センサ７にノイズが重畳することの少ない信頼性の高い振動検出装置１３を提供することができる。
【００４７】
尚、内側電極と外側電極を持つケーブル状の振動検出手段として同軸ケーブル状の圧電センサ７を例として示したが、本発明はこれに限られることは無く、中心導体が複数あるケーブル、中心導体が外側電極の中心から偏心しているケーブル、断面形状が円形ではないケーブルなどを用いても同様の効果がある。
【００４８】
次に、圧電センサ７の出力信号の処理例と、人１７の検出作用を説明する。図６は本発明の第１の実施の形態における生体信号検出装置１０のブロック図である。図６において、制御ユニット１１は、判定手段２１、報知手段２２を備えている。判定手段２１は、圧電センサ７からの出力信号を所定の濾波特性で濾波し、かつ、所定の増幅度で増幅を行うフィルタ部２３と、フィルタ部２３の出力信号を予め設定された設定値と比較を行うコンパレータ部２４とコンパレータ部２４の出力を受けあらかじめ定められた基準を基に人と物を判別して信号を出力する処理部２５を備えている。そして、その処理部２５の出力を
受け報知手段２２は、屋内に設置された表示手段１６に人１７の来訪を表示するように信号を出力する。
【００４９】
尚、報知手段２２は信号を有線で出力しても無線で出力してもかまわない。
【００５０】
以上のように構成された振動検出装置１３について、以下その動作、作用を特に人と物の判別について図７、図８に基づいて説明する。  図７は人１７が振動検出手段１３の上に乗り、人１７の体の振動が圧電センサ７に加わったときの圧電センサ７の出力に対応するフィルタ部２３の出力信号Ｖとコンパレータ部２４の出力信号Ｊの経時変化を示す特性図である。図８は物が振動検出手段１３の上に乗り、物の荷重圧電センサ７に加わったときの圧電センサ７の出力に対応するフィルタ部２３の出力信号Ｖとコンパレータ部２４の出力信号Ｊの経時変化を示す特性図である。
【００５１】
ここで、フィルタ部２３の濾波特性としては、例えばノイズとして信号に重畳しやすい商用電源周波数は５０Ｈｚおよび６０Ｈｚであるが、人１７の振動つまり体動や重心動揺などは数Ｈｚの範囲なので、濾波特性としては例えば、１Ｈｚ〜２０Ｈｚの信号成分を通過させるバンドパスフィルタとしている。
【００５２】
人１７は玄関ドア１４前にいるときでも何らかの動きをしている場合が多くまた、意識的に立ち止まっていても重心動揺しており玄関ドア１４前のポーチ１５の上に立ったとき、人１７からの荷重移動や重心動揺などの振動はポーチ１５の可動体１８を介して圧電センサ７に印加される。このとき圧電センサ７は変形し、圧電効果により圧電センサ７の変形の加速度に応じた信号が出力される。そのため、変動の無い体重による圧力等は検出されず変動のある振動成分のみが検出され、動揺などの体の動きを検出する。このとき特にアルミの丸棒８の部分で圧電センサ１の曲げ変形が大きくなりより大きな出力信号が得られる。図７にフィルタ部２３の出力信号Ｖを示す。人１７の検出時には、Ｖに基準電位Ｖ０より大きな信号成分現れる。そして変形量の２次微分値である加速度も大きくなり、結果として圧電センサの出力信号も大きくなる。コンパレータ部２４はＶのＶ０からの振幅｜Ｖ−Ｖ０｜がＤ０より大ならば振動を検出した判定し、時刻ｔ１で判定出力としてＬｏ→Ｈｉ→Ｌｏのバルス信号を出力する。
【００５３】
このパルス信号は、人１７がポーチ１５の上に乗っている間連続して何度も現れることになる。一方図８に示すように、荷物などの物がポーチ１５に置かれた場合は、置かれた瞬間のみ信号が発生するが、荷物自体は振動を発生していないため時間Δｔ後には振動は収束しそれ以降信号の発生は無い。つまり振動に由来する信号が時間Δｔ以上連続して検出されれば玄関ドア１４の前に人１７がいると判断でき、人１７と物の区別をすることができる。Δtは例えば数秒程度、ゆっくりと荷物を置いたとしても１０秒前後と考え処理部２５は１０秒以上振動を検知したときに人１７と判別し信号を出力するようにした。そして、この出力結果より報知手段２２は信号を例えば屋内の表示手段１６などに発信する。
【００５４】
但し、人と荷物の判定時間は１０秒に限られることは無く設置場所や状況に応じて適宜設定してよい。
【００５５】
以上のように、本発明の構成により人と物を確実に判別することができるため、ドアの前に物がおいてあり人いない場合に間違えてドアを開錠したり、来客や不審者がきたと誤報したりすることの無い信頼性の高い振動検出装置１３とすることができる。
【００５６】
また明らかに人より軽い物による小さな振動信号や、また明らかに人より重い物による大きな振動信号などはコンパレータ部２４からの出力などに閾値を設けて判定時間の経過
前に物と判定しても良い。
【００５７】
尚、防塵防水手段として２枚の樹脂フィルム９ａ、９ｂを用いた例を説明したがこれに限られること無く、単一の樹脂からなる袋に入れ、口を封止してもかまわない。
【００５８】
尚、振動検出装置１３の設置場所に関しては本実施の形態のような玄関ドア１４の前に限られることは無く、勝手口ドアの前や、テラスやベランダへ出るための窓の前などに設置しても同様の作用効果がある。
【００５９】
また尚、通常人の出入りのしない窓の前に設置してもかまわない。その場合は、不審者が家屋内部に侵入を試みようとしていることの検知などに利用できる。その場合報知手段２２は不審者を検知したことを家屋住人の携帯電話や警備会社などに通報するようにしても良い。
【００６０】
また尚、スポンジ６のような弾性部材としてエアバッグを用いても同様な作用効果がある。
【００６１】
また尚、ポーチ１５には、内部に水が侵入したときのため、排水用の穴を穿設してあれば尚良い。
【００６２】
（実施の形態２）
本発明の第２の実施の形態における生体信号検出装置について図９を用いて説明する。図９は本実施の形態の振動検出装置の側面断面図である。
【００６３】
以下実施の形態２から９については、前に記載した実施の形態と異なる点についての説明についてのみ行い、同じ符号を付したものについては同様な作用効果を奏するものであるので詳述を省略する。
【００６４】
本実施の形態の第１の実施の形態との違いは、振動検出装置１３の防塵防水手段としてスポンジ６と水透過性の無い樹脂フィルム９cを有し、樹脂フィルム９ｃとスポンジ６の周囲４辺を溶着することで圧電センサ７を防塵防水した点である。この場合スポンジ６に水透過性を持たせないように独立気泡のスポンジを用いることが望ましい。また発泡させていないゴムのような弾性体を用いても良い。
【００６５】
以上のような構成により、構成部品点数を削減することができる。また、実施の形態１と比較して下面のフィルム部材が減るのでより柔軟性が高くなり設置性が良いものとなる。
【００６６】
（実施の形態３）
本発明の第３の実施の形態における生体信号検出装置について図１０及び図１１を用いて説明する。図１０は本実施の形態の振動検出装置の側面断面図、図１１は振動検出手段の平面図である。
【００６７】
第１および第２の実施の形態との違いは、振動検出装置１３にスポンジ６のうえに圧電センサ７を着設して、その上からシリコンシール剤２６のような柔軟性のある防水性の部材を塗布積層した点である。
【００６８】
このとき、シリコンシール剤２６はケーブル状の圧電センサ７の近傍だけに積層してもよい、その場合、図１１のようにシリコンシール剤２６の配設形状は圧電センサ７のように蛇行した状態になる。
【００６９】
以上のような構成により、構成部品点数を削減することができる。また、実施の形態１と比較して下面のフィルム部材が減り、また上面の部材も積層の仕方により少量で済むためより柔軟性が高くなり設置性が良いものとなる。
【００７０】
尚、シリコンシール剤１６は全面に積層しても良いし、下面にも積層して、より防塵防水効果を高めても良い。
【００７１】
また尚、圧電センサ７にあらかじめシリコンシール剤２６を積層塗布しておいてそれをスポンジ６に着設してもよい。
【００７２】
（実施の形態４）
本発明の第４の実施の形態における振動検出装置について図１２ａ及び図１２ｂを用いて説明する。図１２ａは本実施の形態の振動検出装置の側面断面図、図１２ｂは本実施の形態の振動検出装置の荷重がかかった状態を示す側面断面図である。
第１から第３の実施の形態との違いは、振動検出装置１３に第１の複数の棒状部材としての複数のアルミ丸棒８と第２の複数の棒状部材としての複数のアルミ丸棒２７により圧電センサ７をはさむように配した点で、第１のアルミ丸棒８と第２のアルミ丸棒２７は重ならないように配置している。この例では、アルミ丸棒８とアルミ丸棒２７とを互いに並行に配置しアルミ丸棒８がアルミ丸棒２７の間になるように配置している。
【００７３】
このとき第１のアルミ棒８と第２のアルミ棒２７とにはさまれた圧電センサ７は、人体１７からの荷重や振動により、アルミ丸棒８とアルミ丸棒２７の断面形状に沿って曲げ作用が加わり大きな信号出力が発生する。また、振動検出装置１３を裏にして使用しても同じようにアルミ丸棒２７とアルミ丸棒８の断面形状に沿って曲げ作用が加わり大きな信号出力が発生するため、裏表を考慮に入れずに設置できる使い勝手の良い振動検出装置１３とすることができる。
【００７４】
ここでは、隣り合う第１のアルミ丸棒８の中間位置に第２のアルミ棒２７を配置するようにしている、そうすることにより第２にアルミ丸棒２７の右側に隣接する第１アルミ丸棒８との間と、左側に隣接する第１のアルミ丸棒８との間の双方で、圧電センサ７に曲げ作用が発生するため効率よく振動を検出できる。
【００７５】
尚、これに限られること無く第２のアルミ丸棒２７が、隣接する第１のアルミ丸棒８の中間位置よりずれた位置に配置されていても、若干の効率の低下はあっても振動は検出可能である。
【００７６】
また尚、第１の複数の棒状部材と第２の複数の棒状部材は、丸棒に限られる物ではない。長円形状、楕円形状、矩形でも良い、ただ矩形の場合は圧電センサ１を傷つけないよう角部分が面取り等されていることが望ましい。さらに第１の棒状部材と第２の棒状部材の形状が異なっていても同様の効果が期待できることは言うまでも無い。
【００７７】
（実施の形態５）
本発明の第５の実施の形態における振動検出装置について図１３ａ及び図１３ｂを用いて説明する。図１３ａは本実施の形態の振動検出装置が埋設されたポーチの側面断面図、図１３ｂは荷重がかかった状態を示す側面断面図である。
【００７８】
第１から第４の実施の形態との違いは、振動検出装置１３の上に設置され振動検出装置１３に振動を伝える構成として、ポーチ１５上面に蓋体２８を有し、蓋体２８が撓むことにより振動検出手段１３に振動を伝える構成としたことである。
【００７９】
図１３ａにおいて、ポーチ１５は、上面の一部特に人１７が立つ部分に上下方向に撓む蓋体２８を有しており、振動検出装置１３はその下に配置され可動体１８に加えられる振動が振動検出装置１３に印加されるようになっている。ポーチ１５の本体１９と蓋体２８の隙間には内部に粉塵や水が侵入し振動検出装置１３に粉塵や水が掛からないようにパッキン２９が配置されている。
【００８０】
図１３ａのようにポーチ１５の上に人や物が無い場合は、蓋体２８が撓んでいないので振動検出装置１３と蓋体２８は接していない、そして図１３ｂのようにポーチ１５特に蓋体２８の上に人１７が載ると、蓋体２８は周囲でポーチ１５により支えられる構造としているため蓋体２８の中央部分が撓み、振動検出装置１３に接することで荷重や振動を伝えることができるようになる。このとき蓋体２８の撓み変形量は、人１７が蓋体２８に載ったときにその変移により違和感の無い程度、数ｍｍ好ましくは２ｍｍ程度の変位になるような硬さや形態とすることが好ましい。
【００８１】
そしてここで、蓋体２８は周囲が支えられているため、蓋体２８に撓みが生じてもポーチ１５との境界に段差を生じにくいので、人や物が引っかかることもなく、より自然な設置状態を実現できる。
【００８２】
（実施の形態６）
本発明の第６の実施の形態における振動検出装置について図１４を用いて説明する。図１４は本実施の形態の振動検出装置が埋設されたポーチに荷重が掛かった状態の側面断面図である。第１から第５の実施の形態との違いは、ポーチ１５の可動体３０を、ポーチ１５の上面の一部ではなく、上面全体としたことである。
【００８３】
また、可動体３０はバネ３１により支持されており人や物が無い場合には振動検出装置１３に荷重か掛からないようになっており、人が乗ったときに、数ｍｍ好ましくは２ｍｍ程度の変位になるような硬さのバネ３１を使用している。また、ポーチ１５の本体１９の振動検出装置１３設置部近傍にはストッパー３２が設けられており可動体３０の上に過大な荷重が印加されたときには荷重をストッパー３２で受け過大な荷重が振動検出装置１３にかからないような構成としている。尚、ストッパー３２は可動体側に設けても、また振動検出装置１３内部に設けてもかまわない。
【００８４】
このような構成とすることで雨など上から降り注ぐ水等が浸入しにくくなる。またか導体３０が変位してもポーチ１５に段差を生じないので、人や物が引っかかることもなく、より自然な設置状態を実現できる。
【００８５】
また、ポーチ１５の上に人や物が無いときに振動検出手段１３に荷重がかからず、またポーチ１５に過大な荷重が掛かったときに振動検出手段１３に過大な荷重が掛からないので振動検出手段１３の経時劣化も抑えることができ信頼性の高い物とすることができる。
【００８６】
また、可動体３０に荷重や振動が印加されたときにバネ３１の共振周波数で振動しつづけることのないように、振動を減衰させるためのダンパーを併設すると尚良い。
【００８７】
尚、実施の形態１から６では振動検出手段としてケーブル状の圧電センサを用いたが、他の形態の圧電センサでもよく例えば振動検出手段としてＰＶＤＦ薄膜の両面を電極で挟んだフィルム状またはリボン状の圧電センサを用いても同様の効果が得られる。但しセンサ自体を導電性シートで包みシールドするなどの電磁波ノイズ対策は適宜行う物とする。また尚、実施の形態１から６では振動検出手段として圧電センサ８を用いた構成であったが、振動検出手段に、押圧変形に感応して透過光が変調する特性を持つ光ファイバを用い
ても同様の効果がある。
【００８８】
（実施の形態７）
本発明の第７の実施の形態における振動検出装置について図１５から図１８を用いて説明する。図１５は本実施の形態の振動検出装置の側面断面図、図１６は玄関出入り口の平面図,図１７は玄関出入り口の可動体のない平面図、図１８は振動検出装置の設置部の側面断面図である。第１から第６の実施の形態との違いは、振動検出装置に振動を伝達促進するためのアルミ丸棒８などの硬質棒状部材を用いていない点である。それに代わる物として、玄関ポーチに設置される家屋出入り口用部材であるデッキの大引を用いる構成について説明する。
【００８９】
図１５に示すように本実施形態の振動検出装置３３にはアルミの丸棒８は配されておらず、スポンジ６のような弾性部材の表面に、圧電センサ７が着設され。これらスポンジ６と圧電センサ７とを覆うように水透過性の無い２枚の樹脂フィルム９ａ、９ｂによって上下から挟み込んで周囲４辺を熱溶着することで封入している。但しその上に配置する可動体である可動デッキ３４には下面にアルミの角材などよりなる大引３５が配置されており、この大引３５の下に振動検出装置３３を配置することで可動体である可動デッキ３４の振動を振動検出装置３３に伝達する構成としている。
【００９０】
図１６、図１７に示すように、コンクリートやモルタルなどにより作られたポーチ本体１９の上に大引３５を組み、その上に直行するように木板３６などの板材を固定しデッキ３７としている。このとき例えば大引３５は数十ｍｍのアルミ角材などを数百ｍｍ間隔で組み、その上に幅１００ｍｍ前後でかつ長さ１から２メートル程度の木板３６を大引３５に固定している。このとき、このデッキ３７の一部、特に玄関ドア１４前他のデッキ３７と分離し可動デッキ３４としている。この可動デッキ３４は上下方向に可動させるために大引３５及び木板３６を他部分のデッキ３７と切り離している。この例では、玄関ドア１４前の木板５枚分とその下面に配置する大引を他のデッキと切り離し図１７のように取り外すことが出来る。この例の振動検出装置３３は、図１５に示すように２本の大引３５の下に配置されるような位置関係及び大きさにしている。また、振動検出装置３５の下面にはゴム板３８を敷き、ポーチ１５のコンクリート面やモルタル面の微小突起などによる振動検出装置３３の傷つき、例えば防塵防水のための樹脂フィルム９ａ、９ｂなどの傷つきによる塵や水の浸入を防止し信頼性を向上させている。さらに振動検出装置３３の上面にもゴム板３９を敷き、角断面の大引３５の角部による振動検出装置３３の傷つき、例えば圧電センサ７の断線などを防ぐことで信頼性を向上させている。
【００９１】
尚、ゴム板３８の設置箇所としては、振動検出装置３３の下面に限らず、振動検出装置３３の側面近傍にコンクリート面があれば、側面にもゴム板を設置するのが良い。また、ゴム板３８の材質に関してゴムに限らず樹脂の板やスポンジなどを用いてコンクリート面の突起が振動検出装置３３に直接接しないようにすることができる。
【００９２】
また、大引３５と振動検出装置３３の間のゴム板３９の材質はゴムのみならずスポンジ等を用いても良い。
【００９３】
このように構成された振動検出装置３３の動作作用を説明する。図１８に示すように可動デッキ３４の上に人１７が載ったとき、その荷重と動きによる振動は木板３６と大引３５を介して振動検出装置３３に達する。そして、荷重や振動により窪み変形を起こすスポンジ６に圧電センサ７は大引３５と共にスポンジ６に陥入する形となる。そして圧電センサ７は大引の断面形状に沿って曲げ作用が加わり大きな信号出力が発生するため確実に振動を検知することができる。また、振動伝達促進部材として、家屋に一般に使用されている建材を活用するため振動検出装置３３の構造の簡略化することが出来る。
【００９４】
尚、デッキ３７の板材として木板３６を用いる例を示したがこれに限られることはなく、アルミなどの金属板、樹脂の板、再生木などの板材を用いても同様の作用効果が得られる。
【００９５】
また、図１９のように、検知したい玄関ドア１４前に大引のない場合や、振動検出装置３３上の大引の数が少ない場合は大引３５に代替するものとして押圧部材４０を配しても良い。その場合図１９にあるように大引３５と同じ寸法の部材を可動デッキ３４の木版３６にネジ等で固定することで大引３５と同じ効果を得ることが出来る。但し、押圧部材４０の高さ寸法は大引３５と同じでなければ可動デッキ３４に傾斜がついてしまうが、幅に関しては必ずしも同寸である必要はない。また、押圧部材４０は必ずしも大引３５と並行に設置する必要はなく、直角方向に設置してもかまわない。押圧部材４０を可動デッキ３４に固定することで押圧部材４０は可動デッキと一体として取り扱うことが出来るので作業性が向上する。
【００９６】
尚、大引３５の数が少ないため振動検出装置３３に局所的に過荷重が印加され圧電センサ７がつぶれてしまうような場合、例えばデッキ３７の木板３６の重量が大きい場合などは、大引３５の間に１本から数本の押圧部材４０を配置して圧力を分散させることで信頼性を向上させることも出来る。
【００９７】
また、図２０のように、大引３５の幅が狭く結果として振動検出装置３３に局所的に過荷重が印加されるような場合は、大引３５と振動検出装置３３の間に硬質の板状部材例えば厚さ数ｍｍの金属板４１などを大引の幅より大きい幅にして配置することで受圧面を広くし圧力を分散させることで信頼性を向上させることも出来る。この金属板は腐食しにくいアルミやステンレスなどが好ましいがこれに限られる物ではなく、他の金属や強度のある樹脂でもかまわない。
【００９８】
また、可動デッキ３４は取り外しが可能であるが、図２１のような治具４２を用いると作業性が向上する。この治具４２はコの字型をしており、φ１０ｍｍ前後の本体４３と、グリップ部４４よりなる。可動デッキ３４を構成する木板３６の隙間は、美観を損ねたり、物が下に落ち込んだりしないように隙間が小さく、必ずしも施工する作業者の手が入るほどの隙間はない。そのため、図２２のように、コの字型をした治具４２の先端を木板３６の隙間に入れて引っ掛け、作業者はグリップ部４４を持ち、可動デッキ３４の両端で持ち上げることが出来る。これにより、振動検出装置３３をメンテナンスするためにデッキ３７に手を入れるための大きな穴などをあける必要もないため、美観を損ねることなく作業性を向上させることが出来る。
【００９９】
尚、圧電センサ７を着設する弾性体はスポンジに限られることはなく無発泡のゴムでもよい。この場合、ゴムの持つ弾性により圧電センサ７がゴムに陥入することで圧電センサ７は信号を発するのという同様の作用が得られる。また、無発泡のゴムとスポンジを重ねた物でも良い。また尚、圧電センサ７は、スポンジ６などの弾性体に直接着設せずに、布やフィルムに着設してスポンジ６とともに樹脂フィルム９ａ、９ｂ内に封入してもよい。
【０１００】
(実施の形態８)
本発明の第８の実施の形態における振動検出装置１３について図２３を用いて説明する。図２３ａ）は、本実施の形態の振動検出装置１３が埋設されたポーチ１５に荷重のない状態の側面断面図で、図２３ｂ）は、本実施の形態の振動検出装置１３が埋設されたポーチ１５に荷重が掛かった状態の側面断面図である。第１から第７の実施の形態との違いは、可動体を複数に分割した点である。
【０１０１】
本実施の形態の可動体は、長手方向に２つに分割され第１可動体４４ａ、第２可動体４４ｂとしている。このとき人１７が第２可動体４４ｂの上に載ったときには第１可動体４４ｂのみに荷重と振動が印加され第２可動体４４ｂの下の部分のみの振動検出装置１３が変形作用を受け信号を出力する。圧電センサ７は一部分の変形作用でも信号を発生するため振動検出装置１３は人１７を検出することが出来る。
【０１０２】
このような構成にすることで、可動体４４ａ、４４ｂそれぞれの質量を小さくすることが出来るのでより小さな力でも可動体４４ａ、４４ｂが動くこととなり、より小さな振動を検出することが出来るので検出感度を高くすることが出来る。また、可動体４４ａ、４４ｂの質量が小さいのでメンテナンス時に可動体４４ａ、４４ｂの持ち上げが容易になるため、作業性が向上する。
【０１０３】
また、図２４のように、複数に分割された可動体４５ａ、４５ｂのそれぞれの下面に押圧部材４６を配していてもよい。この押圧部材４６は、例えば数十ｍｍ程度のアルミの角棒などを用い、可動体４５ａ、４５ｂの下にそれぞれ２から３本程度設置している。このような構成にすることで、可動体４５ａ、４５ｂに印加される荷重と振動は、押圧部材４６に集中して振動検出装置３３に伝達されるため、押圧部材４６が振動伝達促進部材となり、実施の形態７のようにアルミの丸棒８のない、より簡略な構成の振動検出装置３３とすることが出来る。
【０１０４】
尚、本実施の形態において可動体を２分割する構成について説明したがこれに限られる物ではなく、3つ以上に分割しても同様の作用効果がある。また、図２３や図２４の奥行き方向に分割しても同様であり、さらに、図２５のように長手方向に分割しかつ奥行き方向にも分割してもかまわない。
【０１０５】
また尚、分割した可動体２８の平面形状は長方形ではなく多角形や円形でもかまわない。例えば蜂の巣のような６角形とすると隙間なく可動体を配置することが出来る。このように、分割した可動体それぞれが、荷重をうけた際に独立して動けるような構成であればよので、荷重を受けて動く際に互いに動きを干渉して動きを抑制してしまうような形状でなければ、分割した可動体の大きさ、形状は現場の状況や部材の性質に合わせてきめればよい。
【０１０６】
（実施の形態９）
本発明の第９の実施の形態における振動検出装置について図２６と図２７を用いて説明する。図２６は振動検出装置をセキュリティ装置として用いる場合のブロック図、図２７は振動検出装置を設置した玄関の構成図である。第１から第６の実施の形態との違い、特に第１の実施の形態との違いは、振動検出装置が振動を検知した後の動作として、不審者を判別し、不審者に対する対応手段を有している点である。
【０１０７】
以下に振動検出装置１３の出力信号の処理を説明する。図２６において、制御ユニット１１が、振動信号を検出した場合、有線もしくは無線で結合された判別手段であるコントローラ４７に信号を送るようになっている。そして、信号を受け取ったコントローラ４７は入室を許可された者が持つＩＤ送受信機であるＩＤカード４８と無線通信をする。入室が許可された者とは例えば居住者、来客などである。このときあらかじめ登録されているＩＤと照合できたときには玄関ドア１４の開錠などの動作を行う。またＩＤが照合できない、またはＩＤカードがない場合はコントローラ４７が、不審者もしくは未確認者と判断し屋内に設置された表示手段１６に未確認者の来訪または不審者があることを表示するように信号を出力する。また同時に、屋外に設置されたカメラ４９、ライト５０、スピーカ５１などを動作させる。図２７に示すように、家屋屋外には、振動検出装置１３が設置された玄関ドア１４に向けてカメラ４９、ライト５０などの照明機器、スピーカ５１などが
設置されており。不審者を検出した場合には、振動検出装置１３に向けられたライト５０が不審者を照らし出し、カメラ４９は不審者の姿や顔を撮影し記録する。また、スピーカ５１から警戒音を発し威嚇する。尚ライト５０はカメラ４９のための照明の目的のみならず不審者の威嚇に用いてもよい。そうすることで、不審者の侵入を阻止し、また記録に残すことが出来る。
【０１０８】
さらに、従来例のような構成では、電極同士が接触して信号を発生するため、検出装置に所定の変位が発生するまで検知ができないが、圧電センサ７は変形の加速度を検出するため出力発生までの時間は変位に関係なく、荷重や振動が印加されてから反応する速度が数十ｍｓから数百ｍｓ程度と速いので、不審者が移動する前にカメラ４９やライト５０などの機器を作動させることが出来るため、確実に検出した不審者の撮影ができる。
【０１０９】
この例では、振動検出装置１３を玄関ドア１４前に設置する構成において説明したがこれに限られることはなく、勝手口前や窓の下など不審者の侵入しそうな箇所に設置しても同様の作用効果が得られる。また、玄関ドア１４と勝手口、窓の下等より多くの箇所に設置すれば家屋の総合的なセキュリティ性能がより厳重になる。
【０１１０】
尚、カメラ４９やライト５０は振動検出装置１３が設置された玄関ドア１４のみならず、玄関ドア１４を中心としてより広い範囲を撮影、かつ照明できるようなものにしておくと、動きの速い不審者や、とっさに逃げ出した不審者も、カメラ４９の視界のいずれかの箇所に撮影される可能性が高まるので、逃さず撮影できるため好ましい。また、広い範囲を撮影、照明することで、不審者が複数の場合に撮り漏らす可能性を減少させることも出来る。
【０１１１】
尚、ライト５０はカメラ４９と同じ位置かつ同じ向きに設置すれば、不審者を撮影する場合にライト５０による逆光となることがないという効果が期待できる。
【０１１２】
また尚、カメラ４９としては、静止画像撮影用カメラでも動画撮影用カメラでもよく、また夜間などの暗い場合や日陰箇所への設置に備え高感度カメラでも良い。その場合、撮影のための照明は必ずしも必要ではないので、ライト５０はカメラ４９の撮影範囲と一致していなくても良く、例えば不審者を効果的に威嚇できるように目をくらませるような位置や向きにしても良い。また、ライト５０などの照明機器はフラッシュなどを用いてもよい。さらに、スピーカ５１による音声報知、威嚇のみならず、ブザーによる威嚇音の発生でもよい。
【産業上の利用可能性】
【０１１３】
以上のように、本発明にかかる振動検出装置は、振動検出手段に防水防塵手段を配しているので家屋周囲のみならず、工場、鉄道、空港等の敷地に敷設されるフェンスの周囲に埋設して活用できるとともに、例えば、複数並んだロッカーや部屋のドアの前に設置して、ドアを不正に開けようとした際に通報する等のセキュリティシステムとしても適用できる。
【図面の簡単な説明】
【０１１４】
【図１】本発明第１の実施の形態における振動検出装置の側面断面図
【図２】本発明第１の実施の形態における振動検出装置を設置した玄関ポーチの平面断面図
【図３】本発明第１の実施の形態における振動検出装置を設置した玄関の構成図
【図４】本発明第１の実施の形態における振動検出装置を設置した玄関ポーチの断面図
【図５】本発明第１の実施の形態における振動検出手段の断面図
【図６】本発明第１の実施の形態における振動検出装置のブロック図
【図７】本発明の実施の形態１における振動検出装置で、人の振動を受けたときのフィルタ部の出力信号Ｖとコンパレータ部の出力信号Ｊの経時変化を示す特性図
【図８】本発明の実施の形態１における振動検出装置で、物が振動検出装置の上に乗っ他時のフィルタ部の出力信号Ｖとコンパレータ部の出力信号Ｊの経時変化を示す特性図
【図９】本発明第２の実施の形態における振動検出装置の側面断面図
【図１０】本発明第３の実施の形態における振動検出装置の側面断面図
【図１１】本発明第３の実施の形態における振動検出装置の平面図
【図１２】（ａ）本発明第４の実施の形態における振動検出装置の側面断面図（ｂ）同振動検出装置の荷重がかかった状態を示す側面断面図
【図１３】（ａ）本発明第５の実施の形態における振動検出装置が埋設されたポーチの側面断面図（ｂ）同ポーチに荷重がかかった状態を示す側面断面図
【図１４】本発明第６の実施の形態における振動検出装置が埋設されたポーチに荷重が掛かった状態の側面断面図
【図１５】本発明代７の実施の形態における振動検出装置の側面断面図
【図１６】同、玄関出入り口の平面図
【図１７】同、玄関出入り口の可動体のない平面図
【図１８】同、振動検出装置の設置部の側面断面図
【図１９】同、振動検出装置の設置部の別形態の側面断面図
【図２０】同、振動検出装置の設置部の別形態の側面断面図
【図２１】同、振動検出装置の施工治具の側面図
【図２２】同、振動検出装置の施工治具の使用中の状態を示す側面断面図
【図２３】（ａ）本発明代８の実施の形態における振動検出装置が埋設されたポーチの側面断面図（ｂ）同ポーチに荷重がかかった状態を示す側面断面図
【図２４】同、振動検出装置の別形態の側面断面図
【図２５】同、振動検出装置の別形態の平面図
【図２６】本発明第９の実施の形態における振動検出装置のブロック図
【図２７】同、振動検出装置を設置した玄関の構成図
【図２８】従来の検出装置の側面断面図
【符号の説明】
【０１１５】
６  スポンジ（振動伝達促進部材としての弾性部材）
７  圧電センサ(振動検出手段)
８  アルミ丸棒（振動伝達促進部材としての棒状部材）
９a  樹脂フィルム（防水防塵手段）
９ｂ  樹脂フィルム（防水防塵手段）
９ｃ  樹脂フィルム（防水防塵手段）
１３  振動検出装置
１５  ポーチ（家屋出入り口外側）
１８  可動体
２０  Oリング（第２の防塵防水手段）
２１  判定手段
２２  報知手段
２６  シリコンシール剤（防水防塵手段）
２７  第２のアルミ丸棒（第２の複数の棒状部材）
２８  蓋体
３３  振動検出装置
３４  可動デッキ(可動体)  
３５  大引(振動伝達促進部材、デッキの構成材)
３６  木板(デッキの構成材)
３７  デッキ
３８  ゴム板（振動検出装置の周囲に配置した弾性部材）
３９  ゴム板（振動検出装置と大引の間の弾性部材）
４０  押圧部材(可動体下面の振動伝達促進手段)
４１  金属板（振動検出装置と大引の間の硬質部材）
４４ａ第１可動体（分割された可動体）
４４ｂ第２可動体（分割された可動体）
４６  押圧部材（可動体下面の振動伝達促進部材）
４７  コントローラ(判別手段)
４８  ＩＤカード（ＩＤ送受信機）
４９  カメラ
５０  ライト(照明機器)
５１  スピーカ
７０１  中心電極（内側電極） 
７０２  圧電体層（感圧部材）
７０３  外側電極
【図１】
2007058834.tif 000003
【図２】
2007058834.tif 000004
【図３】
2007058834.tif 000005
【図４】
2007058834.tif 000006
【図５】
2007058834.tif 000007
【図６】
2007058834.tif 000008
【図７】
2007058834.tif 000009
【図８】
2007058834.tif 000010
【図９】
2007058834.tif 000011
【図１０】
2007058834.tif 000012
【図１１】
2007058834.tif 000013
【図１２】
2007058834.tif 000014
【図１３】
2007058834.tif 000015
【図１４】
2007058834.tif 000016
【図１５】
2007058834.tif 000017
【図１６】
2007058834.tif 000018
【図１７】
2007058834.tif 000019
【図１８】
2007058834.tif 000020
【図１９】
2007058834.tif 000021
【図２０】
2007058834.tif 000022
【図２１】
2007058834.tif 000023
【図２２】
2007058834.tif 000024
【図２３】
2007058834.tif 000025
【図２４】
2007058834.tif 000026
【図２５】
2007058834.tif 000027
【図２６】
2007058834.tif 000028
【図２７】
2007058834.tif 000029
【図２８】
2007058834.tif 000030